(57)【要約】      （修正有）【課題】使用者がマッサージ機内に設けられた手足収容槽内に手足を挿入して、該手足収容槽内において複数の固形粒状体から形成される刺激体に接することにより、使用者の手足をマッサージすることができるマッサージ機に用いる刺激体を提供する。【解決手段】本マッサージ機用刺激体１は、マッサージ機内に設けられた手足収容槽内において使用者の手足に接してマッサージを行う複数の固形粒状体２から形成される刺激体を袋体３に詰めたものであって、該手足収容槽５内に収容することが可能な大きさを有するものである。【選択図】図１
0003164360.tif 000002
【実用新案登録請求の範囲】
【請求項１】
マッサージ機内に設けられた手足収容槽内において使用者の手足に接してマッサージを行う複数の固形粒状体から形成される刺激体を袋体に詰めたものであって、該手足収容槽内に収容することが可能な大きさを有するものとしたことを特徴とするマッサージ機用刺激体。
【請求項２】
請求項１に記載したマッサージ機用刺激体であって、前記袋体が複数の室を有することを特徴とするマッサージ機用刺激体。
【考案の詳細な説明】
【技術分野】
【０００１】
本考案は、使用者がマッサージ機内に設けられた手足収容槽内に手足を挿入して、該手足収容槽内において複数の固形粒状体から形成される刺激体に接することにより、使用者の手足をマッサージすることができるマッサージ機に用いる刺激体に関するものである。
【背景技術】
【０００２】
従来、使用者がマッサージ機内に設けられた手足収容槽内に手足を挿入して、該手足収容槽内においてストーンボールやセラミックボール等の複数の固形粒状体から形成される刺激体に接することにより、使用者の手足をマッサージすることができるマッサージ機が存在するところである（例えば、特許文献１、２、３、及び４参照。）。
【先行技術文献】
【特許文献】
【０００３】
【特許文献１】特開第２００６−３３４３７１号公報
【特許文献２】実登第３１３５３２４号公報
【特許文献３】実登第３１５０９４４号公報
【特許文献４】実登第３１５３４２５号公報
【考案の概要】
【考案が解決しようとする課題】
【０００４】
ここで、上記の従来技術に係るマッサージ機において刺激体として用いられる複数の固形粒状体は、多量になると重量を有するものであるため、該刺激体を該マッサージ機内に設けられた手足収容槽内に収容したままの状態では、該マッサージ機を移動させることが困難である。そこで、該マッサージ機を移動させる際には使用者が該刺激体を該手足収容槽から除去し、また、該マッサージ機を使用する際には使用者が該刺激体を該手足収容槽内に収容する作業が必要となる。
【０００５】
また、様々な材質、重量、形状、そして大きさを有する多様な固形粒状体が提供されているところ、使用者が自らの好みに適合する固形粒状体を該刺激体として用いることを希望する場合にも、該複数の固形粒状体の全部又は一部を入れ替える作業を行う必要が生じる。
【０００６】
更に、該固形粒状体は、例えば、使用者の手足から発せられる汗等により汚染されたり、あるいは使用者の不注意等により破損したりする事情のため、該固形粒状体を洗浄したり、あるいは新しい物に交換する際にも、該複数の固形粒状体の全部又は一部を入れ替える作業を行う必要が生じる場合もある。
【０００７】
しかしながら、該複数の固形粒状体から形成される刺激体をそのまま該手足収容槽内に収容するのでは、上記のような場合に、該刺激体を収容する作業及び除去する作業が非常に煩雑である。そこで、本考案の第一の課題は、マッサージ機内に設けられた手足収容槽内において使用者の手足に接してマッサージを行う複数の固形粒状体から形成される刺激体につき、該マッサージ機に収容する作業及び該マッサージ機から除去する作業を簡便なものとした刺激体を提供することにある。
【０００８】
ところで、該複数の固形粒状体の量としては、使用者の手足に接してマッサージを行うという目的を達成するためには、本来的には使用者の手足の表面を覆う程度の量を用いれば足りるところである。
【０００９】
しかしながら、該複数の固形粒状体から形成される刺激体をそのまま該手足収容槽内に収容するのでは、該固形粒状体が転がる等して使用者の手足に接しない位置に移動してしまうことがあるため、該固形粒状体が使用者の手足に接するように本来的には必要でない該固形粒状体も収容して該手足収容槽内を満たすようにしなければならない。また、該マッサージ機を温熱器具としても構成する場合には、該刺激体は該マッサージ機に設置されたヒータ等の発熱体から発せられる熱を使用者の手足に伝える伝熱媒体としての役割も有することとなるが、このような場合には、該刺激体の量は少ない方が使用者の手足に効率よく熱を伝えることができ、好適である。そこで、本考案の第二の課題は、マッサージ機内に設けられた手足収容槽内において使用者の手足に接してマッサージを行う複数の固形粒状体から形成される刺激体につき、該手足収容槽内に収容するべき量を少なくすることができる刺激体を提供することにある。
【００１０】
前述の通り、様々な材質、重量、形状、そして大きさを有する多様な固形粒状体が提供されているところ、単一の固形粒状体を刺激体として用いることももちろん可能であるが、複数の種類から形成される固形粒状体を組み合わせて刺激体として用いた場合には、使用者は多様なマッサージ感を体感することができる。
【００１１】
しかしながら、該複数の固形粒状体から形成される刺激体をそのまま該手足収容槽内に収容するのでは、複数の種類からなる固形粒状体が混交してしまい、刺激体として使用した後に選別することもまた困難である。そこで、本考案の第三の課題は、マッサージ機内に設けられた手足収容槽内において使用者の手足に接してマッサージを行う複数の固形粒状体から形成される刺激体につき、複数の種類から形成される固形粒状体を該刺激体として用いる場合であっても、混交することのない刺激体を提供することにある。
【００１２】
ところで、使用者が該複数の固形粒状体の配置を調節することによっても、使用者は多様なマッサージ感を体感することができて好適である。例えば、足の甲に単純に該複数の固形粒状体を設置した場合には、使用者は一方向からの刺激しか体感することができないが、足の両側面にも該複数の固形粒状体を設置した場合には、使用者は三方向からの刺激を体感することができ、使用者の体感するマッサージ感は全く異なるものとなる。
【００１３】
しかしながら、該複数の固形粒状体から形成される刺激体をそのまま該手足収容槽内に収容するのでは、該固形粒状体が転がる等して使用者の意図しない位置に容易にその配置を変更してしまうことから、使用者の所望の位置に該固形粒状体を配置することができない。そこで、本考案の第四の課題は、マッサージ機内に設けられた手足収容槽内において使用者の手足に接してマッサージを行う複数の固形粒状体から形成される刺激体につき、使用者の所望する位置に配置することができる刺激体を提供することにある。
【００１４】
そして、該複数の固形粒状体の量によっても使用者の体感するマッサージ感は全く異なるものであるところ、使用者が自らの好みに応じて該複数の固形粒状体の量を加減する場合もある。
【００１５】
しかしながら、該複数の固形粒状体から形成される刺激体をそのまま該手足収容槽内に収容するのでは、使用者は専ら自らの感覚を頼りに該刺激体の量を加減せざるを得ず、自らにとって最適な該刺激体の量を探索することが非常に煩雑である。そこで、本考案の第五の課題は、マッサージ機内に設けられた手足収容槽内において使用者の手足に接してマッサージを行う複数の固形粒状体から形成される刺激体につき、使用者が自らにとって最適な量を簡便に探索することができる刺激体を提供することにある。
【００１６】
加えて、マッサージ機内に設けられた手足収容槽内の床面に揉み玉やバイブレータ等の使用者の足裏等をマッサージする装置を設置し、また、該手足収容槽内の壁面に叩打体等の使用者の足首や脹脛等をマッサージする装置を設置して、それぞれの装置を作動させると手足収容槽内に収容した複数の固形粒状体からなる刺激体も運動し、使用者は更に強い刺激を体感することができる。
【００１７】
しかしながら、該複数の固形粒状体から形成される刺激体をそのまま該手足収容槽内に収容するのでは、個々の固形粒状体は比較的小さな部材であることから、使用者の手足をマッサージするための上記の各装置の作動に支障を生ずることが考えられる。そこで、本考案の第六の課題は、マッサージ機内に設けられた手足収容槽内において使用者の手足に接してマッサージを行う複数の固形粒状体から形成される刺激体につき、該マッサージ機内に設けられた使用者の手足をマッサージする装置の作動に支障を与えることがない刺激体を提供することにある。
【課題を解決するための手段】
【００１８】
本考案の第一から第六までの課題を解決するため、請求項１に係るマッサージ機用刺激体は、マッサージ機内に設けられた手足収容槽内において使用者の手足に接してマッサージを行う複数の固形粒状体から形成される刺激体を袋体に詰めたものであって、該手足収容槽内に収容することが可能な大きさを有するものとしたことを特徴とするマッサージ機用刺激体である。
【００１９】
本考案の第一から第六までの課題を解決するため、請求項２に係るマッサージ機用刺激体は、請求項１に記載したマッサージ機用刺激体であって、前記袋体が複数の室を有することを特徴とするマッサージ機用刺激体である。
【考案の効果】
【００２０】
請求項１又は２に記載した本考案に係るマッサージ機用刺激体は、上記の通りの構成であるから、以下のような効果を得ることができる。
【００２１】
請求項１又は２に記載したマッサージ機用刺激体は、マッサージ機内に設けられた手足収容槽内において使用者の手足に接してマッサージを行う複数の固形粒状体から形成される刺激体を袋体に詰めたものであるから、該複数の固形粒状体をそのまま該手足収容槽内に収容するよりも、該マッサージ機用刺激体を手足収容槽内に収容する作業及び手足収容槽から除去する作業が簡便である。従って、請求項１又は２に記載したマッサージ機用刺激体は、マッサージ機内に設けられた手足収容槽内において使用者の手足に接してマッサージを行う複数の固形粒状体から形成される刺激体につき、該マッサージ機に収容する作業及び該マッサージ機から除去する作業を簡便なものとした刺激体を提供するという本考案の第一の課題を解決することができる。
【００２２】
次に、請求項１又は２に記載したマッサージ機用刺激体は、マッサージ機内に設けられた手足収容槽内において使用者の手足に接してマッサージを行う複数の固形粒状体から形成される刺激体を袋体に詰めたものであるから、該固形粒状体が転がる等して使用者の手足に接しない位置に移動してしまうことはなく、よって、本来的には必要でない該固形粒状体を収容して該手足収容槽内を満たす必要がなくなる。従って、請求項１又は２に記載したマッサージ機用刺激体は、マッサージ機内に設けられた手足収容槽内において使用者の手足に接してマッサージを行う複数の固形粒状体から形成される刺激体につき、該手足収容槽内に収容するべき量を少なくすることができる刺激体を提供するという本考案の第二の課題を解決することができる。
【００２３】
また、請求項１又は２に記載したマッサージ機用刺激体は、マッサージ機内に設けられた手足収容槽内において使用者の手足に接してマッサージを行う複数の固形粒状体から形成される刺激体を袋体に詰めたものであるから、該固形粒状体を種類毎に袋体に詰めるかあるいは室毎に詰めることにより、複数の種類からなる固形粒状体を刺激体として用いる場合にあっても混交してしまうことがない。従って、請求項１又は２に記載したマッサージ機用刺激体は、マッサージ機内に設けられた手足収容槽内において使用者の手足に接してマッサージを行う複数の固形粒状体から形成される刺激体につき、複数の種類からなる固形粒状体を刺激体として用いる場合であっても、混交することのない刺激体を提供するという本考案の第三の課題を解決することができる。
【００２４】
更に、請求項１又は２に記載したマッサージ機用刺激体は、マッサージ機内に設けられた手足収容槽内において使用者の手足に接してマッサージを行う複数の固形粒状体から形成される刺激体を袋体に詰めたものであるから、該固形粒状体が転がる等して使用者の意図しない位置に容易にその配置を変更してしまうことはない。従って、請求項１又は２に記載したマッサージ機用刺激体は、マッサージ機内に設けられた手足収容槽内において使用者の手足に接してマッサージを行う複数の固形粒状体から形成される刺激体につき、使用者の所望する位置に配置することができる刺激体を提供するという本考案の第四の課題を解決することができる。
【００２５】
そして、請求項１又は２に記載したマッサージ機用刺激体は、マッサージ機内に設けられた手足収容槽内において使用者の手足に接してマッサージを行う複数の固形粒状体から形成される刺激体を袋体に詰めたものであるから、一定量の該複数の固形粒状体を袋体に詰めた刺激体を準備しておけば、使用者が自らにとって最適な刺激体の量を探索することが簡便である。従って、請求項１又は２に記載したマッサージ機用刺激体は、マッサージ機内に設けられた手足収容槽内において使用者の手足に接してマッサージを行う複数の固形粒状体から形成される刺激体につき、使用者が自らにとって最適な量を簡便に探索することができる刺激体を提供するという本考案の第五の課題を解決することができる。
【００２６】
加えて、請求項１又は２に記載したマッサージ機用刺激体は、マッサージ機内に設けられた手足収容槽内において使用者の手足に接してマッサージを行う複数の固形粒状体から形成される刺激体を袋体に詰めたものであるから、個々の固形粒状体が該マッサージ機内に設けられた使用者の手足をマッサージするための装置の作動に支障となることはない。従って、請求項１又は２に記載したマッサージ機用刺激体は、マッサージ機内に設けられた手足収容槽内において使用者の手足に接してマッサージを行う複数の固形粒状体から形成される刺激体につき、該マッサージ機内に設けられた使用者の手足をマッサージする装置の作動に支障を与えることがない刺激体を提供するという本考案の第六の課題を解決することができる。
【図面の簡単な説明】
【００２７】
【図１】本考案の第一実施形態に係るマッサージ機用刺激体を示した斜視図である。
【図２】本考案の第一実施形態に係るマッサージ機用刺激体の使用状態を示した説明図である。
【図３】本考案の第一実施形態に係るマッサージ機用刺激体の使用状態を示した説明図である。
【図４】本考案の第二実施形態に係るマッサージ機用刺激体を示した斜視図である。
【図５】本考案の第二実施形態に係るマッサージ機用刺激体の使用状態を示した説明図である。
【図６】本考案の第二実施形態に係るマッサージ機用刺激体の使用状態を示した説明図である。
【考案を実施するための形態】
【００２８】
まず、本考案の第一実施形態に係るマッサージ機用刺激体の構造及びその使用態様について説明する。
【００２９】
本考案の第一実施形態に係るマッサージ機用刺激体１は、図１に図示するように、マッサージ機４内に設けられた手足収容槽５内において使用者の手足９に接してマッサージを行う複数の固形粒状体２を袋体３に詰めたマッサージ機用刺激体であり、手足収容槽５内に収容することができる程度の大きさを有するものである。
【００３０】
固形粒状体２としては、例えば、ストーンボールやセラミックボール等を用いることができる。図１では、マッサージ機用刺激体１は、同一の大きさの固形粒状体２のみから形成されているが、それぞれ大きさの異なる固形粒状体から形成することももちろん可能である。また、温熱器具として構成されているマッサージ機４において用いる場合には、マッサージ機４内に設置された発熱体６から発せられる熱が使用者の手足９に伝わるように蓄熱性を有する固形粒状体を用いるのが好適である。
【００３１】
袋体３は、布又はビニルシート等のシート状の材料を袋状に形成したものである。袋体３を形成する材料は、マッサージ機４を温熱器具として構成する場合には、マッサージ機４内に設置された発熱体６から発せられる熱が使用者の足９へと伝わることを阻害するものでなく、また、発熱体６から発せられる熱により容易に溶解等することのない程度の耐熱性を有する材料を用いるのが好適である。また、袋体３は、図１では、密封された袋体となっているが、固形粒状体２が袋体３の外部に漏れ出さないように固形粒状体２の直径よりも小さな網目を有する網目状の袋体を用いることも可能である。
【００３２】
以上が本考案の第一実施形態に係るマッサージ機用刺激体１の構造についての説明である。次に、本考案の第一実施形態に係るマッサージ機用刺激体１の使用態様について説明する。
【００３３】
マッサージ機４は、図２及び３に図示するように、手足収容槽５を内部に収納するマッサージ機であり、手足収容槽５は、その上面部分が開放されているから、使用者は手足収容槽５内に使用者の手足９を出し入れすることができる。
【００３４】
発熱体６は、マッサージ機用刺激体１を加熱するためのものであり、図２及び３に図示するように、手足収容槽５の壁面に取り付けられており、ハロゲンヒータ、カーボンヒータ、若しくはセラミックヒータ等の面状の電気温熱ヒータから形成される。
【００３５】
揉み玉７は、使用者の足裏等をマッサージするための装置であり、図２及び３に図示するように、手足収容槽５の底面に設置されている。揉み玉７としては、例えば、モータの駆動により回転する回転板の上面に半球状の突起が形成されている部材を用いることができる。
【００３６】
叩打体８は、使用者の足首や脹脛等をマッサージするための装置であり、図３に図示するように、手足収容槽５内の壁面に設置されている。叩打体８としては、例えば、電磁ソレノイド等の往復運動するアクチュエータ等により往復揺動するロッド等を用いることができる。
【００３７】
使用者は、手足収容槽５内に使用者の手足９を挿入した後、図２及び３に図示するように、マッサージ機用刺激体１を使用者の手足９に接するように手足収容槽５内に収容し設置する。図２及び３では、マッサージ機用刺激体１は、使用者の手足９の甲及び側面に接するように設置しているが、いかなる態様により設置するかについては使用者の任意である。また、図２及び３では、マッサージ機用刺激体１を一つ設置しているが、使用者の希望に応じて複数個設置することももちろん可能である。
【００３８】
使用者が揉み玉７及び叩打体８を作動させると、マッサージ機用刺激体１も運動する。マッサージ機用刺激体１は、手足収容槽５内の比較的狭い空間内に収容されているため、使用者は強いマッサージ感を体感することができる。マッサージ機用刺激体１を上記のような態様で用いることにより、使用者の手足９の全体をマッサージすることができ、好適である。
【００３９】
以上が、本考案の第一実施形態に係るマッサージ機用刺激体の使用態様についての説明である。次に、本考案の第二実施形態に係るマッサージ機用刺激体の構造及びその使用態様について説明する。尚、第二実施形態に係るマッサージ機用刺激体の構造及びその使用態様は、下記の事項以外、前記の第一実施形態に係るマッサージ機用刺激体の構造及びその使用態様と同一である。
【００４０】
本考案の第二実施形態に係るマッサージ機用刺激体１は、図４に図示するように、マッサージ機４内に設けられた手足収容槽５内において使用者の手足９に接してマッサージを行う複数の固形粒状体２を袋体３に設けられた複数の室３ａにそれぞれ詰めたマッサージ機用刺激体である。
【００４１】
図４では、マッサージ機用刺激体１は、それぞれの室３ａに同一の大きさからなる固形粒状体２を収容して形成しているが、それぞれの室３ａに大きさ又は材質の異なる固形粒状体を収容して形成することももちろん可能である。
【００４２】
使用者は、図５及び６に図示するように、マッサージ機用刺激体１を広げたり折り畳んだりして手足収容槽５内に収容して設置することができる。マッサージ機用刺激体１を上記のような態様で用いることにより、使用者は使用者の手足９に多様なマッサージ感を体感することができ、好適である。
【符号の説明】
【００４３】
１  マッサージ機用刺激体
２  固形粒状体
３  袋体
３ａ  室
４  マッサージ機
５  手足収容槽
６  発熱体
７  揉み玉
８  叩打体
９  手足
【図１】
0003164360.tif 000003
【図２】
0003164360.tif 000004
【図３】
0003164360.tif 000005
【図４】
0003164360.tif 000006
【図５】
0003164360.tif 000007
【図６】
0003164360.tif 000008